(57)【要約】【課題】送風装置の空気の出口側に配設されたヒータを収納する支持枠部で異常音が発生するのを防止し、また、空気の通過抵抗が増大しない軽量でコンパクトな加湿器を提供する。【解決手段】水槽部３６と、この水槽部３６に一定量の水を供給する給水用水タンク２３と、室内の乾燥した空気を取入れる吸込口３２と、室内に湿った空気を送る吹出口３３と、両口３２、３３間を連絡する風路中に配設された送風装置３０と、この送風装置３０の出口側に配設されたヒータ３４と、このヒータ３４を収納する支持枠３５と、小穴の明いた吸水性の良いシート状の素材をプリーツ折りして形成され、下部を水槽部３６内の水に浸漬した気化フィルター３７とにより構成され、送風装置３０によって吸込口３２から吸い込まれた室内の乾燥した空気をヒータ３４を通過させて加熱した後、水槽部３６の水により湿潤した気化フィルター３７を通過させ、吹出口３３から吹き出すようにした加湿器において、前記ヒータ３４を収納する支持枠３５の周囲に複数の穴３５ａを穿設した。【選択図】  図１
2004232941.tif 000002
【特許請求の範囲】
【請求項１】
水槽部（３６）と、この水槽部（３６）に一定量の水を供給する給水用水タンク（２３）と、室内の乾燥した空気を取入れる吸込口（３２）と、室内に湿った空気を送る吹出口（３３）と、両口（３２）、（３３）間を連絡する風路中に配設された送風装置（３０）と、この送風装置（３０）の出口側に配設されたヒータ（３４）と、このヒータ（３４）を収納する支持枠（３５）と、小穴の明いた吸水性の良いシート状の素材をプリーツ折りして形成され、下部を水槽部（３６）内の水に浸漬した気化フィルター（３７）とにより構成され、送風装置（３０）によって吸込口（３２）から吸い込まれた室内の乾燥した空気をヒータ（３４）を通過させて加熱した後、水槽部（３６）の水により湿潤した気化フィルター（３７）を通過させ、吹出口（３３）から吹き出すようにした加湿器において、前記ヒータ（３４）を収納する支持枠（３５）の周囲に複数の穴（３５ａ）を穿設したことを特徴とする加湿器。
【発明の詳細な説明】
【０００１】
【発明の属する技術分野】
本発明は、気化式の加湿器に関するものである。
【０００２】
【従来の技術】
従来のこの種の気化式加湿器は、例えば図７に示すような構造のものが一般に知られている。
【０００３】
すなわち、１は横長箱型の加湿器本体、２は本体１内の下部に設けられた水槽で、カートリッジ式の給水用水タンク３等によって給水される。
【０００４】
４は加湿ドラムで、外周にウレタンフォーム（発泡体）円筒状の加湿フィルター５を装着し、一方を閉じた閉止部６とし、他方を開口部７とし、中心軸８で本体１に回転軸としてささえられ、加湿フィルター５の下部を水槽２の水面下に浸漬させている。
【０００５】
９はギヤモーターで、加湿ドラム４を回転させる駆動軸を有し、加湿ドラム４の中心軸８を回転させる。
【０００６】
１０は本体１内に配設された送風装置で、水槽２内の加湿ドラム４の開口部７から内部に送風する。
【０００７】
１１は中心軸８に取付けられた風向体で、加湿フィルター５の表面から出る空気の風速が弱まる点から閉止部６まで加湿ドラム４のほぼ内径に沿うように円錐状に形成されている。
【０００８】
その動作は、まず、給水用水タンク３から水槽２に水が供給され、水槽２内の水は一定の水位に保たれ、その水位に浸るように加湿ドラム４が回転し、周囲に取付けた加湿フィルター５は発泡体であるため、その空泡部に水滴が付着したり、膜ができたりして水を含んだ状態となる。
【０００９】
次に、送風機１０を駆動して加湿ドラム４の開口部７から内部に送風すると、空気は加湿フィルター５を通過して外部に吹き出される。
【００１０】
加湿ドラム４の中を空気が通過すると、加湿フィルター５内の水滴や膜が壊れ加湿しなくなるが、加湿フィルター５は加湿ドラム４の回転により再び水を含んだ状態となる。
【００１１】
したがって、加湿ドラム４の内部に送風された空気は風向体１１に沿って加湿フィルター５を通過し、加湿フィルター５の表面から湿った空気が吹き出され、これが室内に放出されて室内を加湿する（例えば特許文献１参照）。
【００１２】
しかしながら、上記の従来技術において、加湿フィルター５は、ウレタンを発泡させ、その発泡で出来た空泡部を利用して加湿フィルター５を一度水没させることにより空泡に水滴を保持したり、膜を作り、この状態の中に風を通すことにより、風は水滴を破壊したり膜を破って風を湿潤させているものであった。
【００１３】
このため、風が一度通過するとその後の風は素通りして加湿効率が悪くなるため、所定の加湿量を確保するには、本体を大きくし、加湿フィルターを大きくするとともに風の量を増す等の対応をする必要があった。
【００１４】
ところで、近年では軽量で、かつコンパクト化が要求されており、図５〜図６に示すような構造のものが提案されている。
【００１５】
すなわち、水槽部３６と、この水槽部３６に一定量の水を供給する給水用水タンク２３と、室内の乾燥した空気を取入れる吸込口３２と、室内に湿った空気を送る吹出口３３と、両口間を連絡する風路中に配設された送風装置３０と、この送風装置３０の出口側に配設され、支持枠３５に収納されたヒータ３４と、小穴の明いた吸水性の良いシート状の素材をプリーツ折りして形成され、下部を水槽部３６内の水に浸漬した気化フィルター３７とで構成したものである。
【００１６】
次に、その動作について説明する。
【００１７】
送風装置３０によって吸込口３２から吸込まれた室内の乾燥した空気は、支持枠３５に収納されたヒータ３４を通過させて加熱した後、水槽部３６の水により湿潤した気化フィルター３４を通過させ、吹出口３３から吹き出されて室内を加湿するものである。
【００１８】
【特許文献１】
実開昭５６−２１１３８号公報
【００１９】
【発明が解決しようとする課題】
しかしながら、上記の従来技術において、後者に示すものはコンパクト化を追求する余り、空気の速度が速く、また複雑な空気の流れがある送風装置３０の出口側に、支持枠３５に収納されたヒータ３４を配設することは、該部分の空気の通過抵抗が大きく、また複雑な風の流れがあることにより風がヒータ３４および支持枠３５に当り、異常音が発生するという問題があった。
【００２０】
【課題を解決するための手段】
本発明は上記の問題点を解決するためになされたものであり、水槽部と、この水槽部に一定量の水を供給する給水用水タンクと、室内の乾燥した空気を取入れる吸込口と、室内に湿った空気を送る吹出口と、両口間を連絡する風路中に配設された送風装置と、この送風装置の出口側に配設されたヒータと、このヒータを収納する支持枠と、小穴の明いた吸水性の良いシート状の素材をプリーツ折りして形成され、下部を水槽部内の水に浸漬した気化フィルターとにより構成され、送風装置によって吸込口から吸い込まれた室内の乾燥した空気をヒータを通過させて加熱した後、水槽部の水により湿潤した気化フィルターを通過させ、吹出口から吹き出すようにした加湿器において、前記ヒータを収納する支持枠の周囲に複数の穴を穿設したものである。
【００２１】
これによって、複雑な風の流れがある送風装置の出口側にヒータを配設しても送風装置からの空気は、一部は穴を通りヒータ周囲を経由して気化フィルター側へ、他の一部は直接気化フィルター側へ流れることで支持枠の通過抵抗は、それ程大きくはなく、空気量の低下は防止できる。
【００２２】
又、該部分の複雑な空気の流れの中に支持枠が存在しても、支持枠に穿設した穴により、空気の流れを妨げるものがなく、空気の衝突により発生する異常音もなくすことができる。
【００２３】
【発明の実施の形態】
以下本発明の一実施例を図１〜図４を参照して説明する。
【００２４】
図において、２１は本体、２２はこの本体２１内の下部に配設された水槽、３６は水槽２２の横に並べて配設された水槽部で、両者は樹脂で一体に成形され、ともに底部で連なって同一レベルの水を貯水する。
【００２５】
３２は室内の乾燥した空気を本体２１内に取入れる吸込口で、本体２１の側面に開口している。
【００２６】
３３は室内に湿った空気を送る吹出口で、本体２１の上面に開口している。
【００２７】
３０は吸込口３２から吹出口３３に至る風路中に配設された送風装置で、この出口側には、図３に示すように全面に小穴３７ａが明けられた吸水性の良いシート状の素材をプリーツ折りした横長方形の気化フィルター３７が配設され、その下部は水槽部３６内の水に浸漬されている。
【００２８】
３４は、送風装置３０の出口側近傍に配設された空気を加熱するヒータ、３５はこのヒータ３４を収納する支持枠で、上下面が開口し、周囲に図４に示すように複数の穴３５ａが穿設されている。
【００２９】
以上の構成による動作を以下説明する。
【００３０】
加湿器を運転する際に、給水用水タンク２３に水を入れ、水槽２２に設置することにより水槽部３６には一定水量の水が流れ出し、気化フィルター３７の下部を水没させる。従って、気化フィルター３７は水を吸上げ湿潤する。
【００３１】
このような状態で送風装置３０を駆動することにより、吸込口３２から取入れられた室内の乾燥した空気は、送風装置３０の出口側に配設されたヒータ３４により加熱される。
【００３２】
次に、加熱された空気は、下部を水槽部３６の水に水没させることで湿潤した気化フィルター３７を通過し、気化フィルター３７内の吸水した水を気化させるとともに吹出口３３へ吹き込まれ、該吹出口３３から室内に放出される。
【００３３】
ここで、複雑な空気の流れがある送風装置３０の出口側にヒータ３４及び支持枠３５が配設されているが、支持枠３５には穴３５ａが複数穿設してあることから、ヒータ３４及び支持枠３５を通る風は穴３５ａも通り抜けることが出来、支持枠３５による空気の流れ方向が変えられることなくスムーズに流れるため、空気の通過抵抗の増大化が抑制でき、また空気の支持枠３５への衝突による異常音の発生がない。
【００３４】
【発明の効果】
以上説明したように、本発明は、送風装置の空気の出口側に配設されたヒータを収納する支持枠に複数の穴を穿設することにより、支持枠を通過する空気の通過抵抗の増大化が抑制できる。
【００３５】
また、送風装置からの空気が支持枠へ衝突することにより発生する異常音をなくすことができる。
【００３６】
そして、前記したヒータ支持枠を採用することによって、異常音が発生することがない軽量でコンパクトな加湿器を提供できる。
【図面の簡単な説明】
【図１】本発明の一実施例を示す加湿器の概略正面断面図である。
【図２】同じく概略側面断面図である。
【図３】同じく気化フィルターの斜視図である。
【図４】同じく支持枠の斜視図である。
【図５】従来例の概略正面断面図である。
【図６】同じく概略側面断面図である。
【図７】従来例の概略正面断面図である。
【符号の説明】
２３  給水用水タンク
３０  送風装置
３２  吸込口
３３  吹出口
３４  ヒータ
３５  支持枠
３５ａ  穴
３６  水槽部
３７  気化フィルター
【図１】
2004232941.tif 000003
【図２】
2004232941.tif 000004
【図３】
2004232941.tif 000005
【図４】
2004232941.tif 000006
【図５】
2004232941.tif 000007
【図６】
2004232941.tif 000008
【図７】
2004232941.tif 000009